【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
ａ）硬質筐体と、
ｂ）前記硬質筐体内に設けられ、高蒸気圧物質を封入する第１の可撓性小袋と、
ｃ）前記第１の可撓性小袋に隣接して前記硬質筐体内に設けられ、液体を封入する第２の可撓性小袋と、
ｄ）前記第２の可撓性小袋と蒸発器との間を液体連通させる液体コンジットとからなり、前記高蒸気圧物質によって、前記第１の可撓性小袋が前記第２の可撓性小袋に圧力を加え、それによって、前記第２の可撓性小袋から前記液体コンジットへ液体の流動を促進する、吸着式冷却装置で用いる液体供給貯蔵器。
【請求項２】
前記高蒸気圧物質が約３０℃の温度だけ前記液体の蒸気圧よりも高い蒸気圧を有する請求項１に記載の液体供給貯蔵器。
【請求項３】
前記高蒸気圧物質の蒸気圧が約２０℃〜約５５℃の温度変化で少なくとも約６００％増加する請求項１に記載の液体供給貯蔵器。
【請求項４】
前記高蒸気圧物質はアルコール類、アルカン類、及びフルオロカーボン類からなる群から選択される請求項１に記載の液体供給貯蔵器。
【請求項５】
前記高蒸気圧物質は、エタノール、メタノール、イソプロパノール、ｎ−ブタン、イソブタン、ｎ−ペンタン、ｎ−ヘキサン、及びフルオロカーボン類からなる群から選択される請求項１に記載の液体供給貯蔵器。
【請求項６】
前記高蒸気圧物質はほぼ不燃性である請求項１に記載の液体供給貯蔵器。
【請求項７】
前記液体が水を含む請求項１に記載の液体供給貯蔵器。
【請求項８】
前記液体供給貯蔵器がさらに、流動制限装置を有する請求項１に記載の液体供給貯蔵器。
【請求項９】
周囲温度の変化によって前記高蒸気圧物質の蒸気圧が変化するように、前記貯蔵器を吸
着式冷却装置の外面に配置する請求項１に記載の液体供給貯蔵器。
【請求項１０】
前記第２の可撓性小袋内の圧力が、前記硬質筐体内の圧力よりも大きい請求項１に記載の液体供給貯蔵器。
【請求項１１】
前記第２の可撓性小袋内の圧力が約３７．５ｍｍＨｇ（約５０ｍｂａｒ）から約２２５ｍｍＨｇ（約３００ｍｂａｒ）である請求項１に記載の液体供給貯蔵器。
【請求項１２】
前記硬質筐体内の圧力が約５２５ｍｍＨｇ（約７００ｍｂａｒ）以下である請求項１に記載の液体供給貯蔵器。
【請求項１３】
前記硬質筐体内の圧力が約７５ｍｍＨｇ（約１００ｍｂａｒ）以下である請求項１に記載の液体供給貯蔵器。
【請求項１４】
前記第１の可撓性小袋中の圧力が前記硬質筐体中の圧力よりも少なくとも約７５ｍｍＨｇだけ（約１００ｍｂａｒ）大きい請求項１に記載の液体供給貯蔵器。
【請求項１５】
ａ）冷却をもたらすための蒸発器と、
ｂ）前記蒸発器からの蒸気の吸収に適した吸収器と、
ｃ）前記蒸発器と前記吸収器との間に設けられ、前記蒸発器から前記吸収器への蒸気の案内に適した蒸気通路と、
ｄ）前記蒸発器への冷却液の供給に適した貯蔵器とからなり、前記貯蔵器は、
ｉ）硬質筐体と、
ｉｉ）前記硬質筐体内に設けられ、高蒸気圧物質を封入する第１の可撓性小袋と、
ｉｉｉ）前記第１の可撓性小袋と隣接して前記硬質筐体内に設けられ、冷却液を封入する第２の可撓性小袋と、
ｉｖ）前記第２の可撓性小袋と前記蒸発器との間を液体連通させる液体コンジットとを有し、前記高蒸気圧物質によって前記第１の可撓性小袋が前記第２の可撓性小袋に圧力を加え、それにより、前記第２の可撓性小袋から前記液体コンジットへ冷却液の流動が促進される、吸着式冷却装置。
【請求項１６】
前記高蒸気圧物質は、約３０℃の温度だけ前記冷却液の蒸気圧より高い蒸気圧を有する請求項１５に記載の吸着式冷却装置。
【請求項１７】
前記高蒸気圧物質の蒸気圧は、約２０℃〜約５５℃の温度変化で約６００％増加する請求項１５に記載の吸着式冷却装置。
【請求項１８】
前記高蒸気圧物質はアルコール類、アルカン類、及びフルオロカーボン類からなる群から選択される請求項１５に記載の吸着式冷却装置。
【請求項１９】
前記高蒸気圧物質は、エタノール、メタノール、イソプロパノール、ｎ−ブタン、イソブタン、ｎ−ペンタン、ｎ−ヘキサン、及びフルオロカーボン類からなる群から選択される請求項１５に記載の吸着式冷却装置。
【請求項２０】
前記高蒸気圧物質は、ほぼ不燃性である請求項１５に記載の吸着式冷却装置。
【請求項２１】
前記冷却液が水を含む請求項１５に記載の吸着式冷却装置。
【請求項２２】
前記液体コンジットがさらに流動制限装置を有する請求項１５に記載の吸着式冷却装置。
【請求項２３】
前記貯蔵器は、周囲温度の変化によって前記高蒸気圧物質の蒸気圧が変化するように、周囲温度と熱伝達する請求項１５に記載の吸着式冷却装置。
【請求項２４】
前記第２の可撓性小袋内の圧力が前記硬質筐体内の圧力よりも大きい請求項１５に記載の吸着式冷却装置。
【請求項２５】
前記第２の可撓性小袋内の圧力が約３７．５ｍｍＨｇ（約５０ｍｂａｒ）から約２２５ｍｍＨｇ（約３００ｍｂａｒ）である請求項１５に記載の吸着式冷却装置。
【請求項２６】
前記硬質筐体内の圧力が約５２５ｍｍＨｇ（約７００ｍｂａｒ）以下である請求項１５に記載の吸着式冷却装置。
【請求項２７】
前記第１の可撓性小袋内の圧力が、前記硬質筐体中の圧力よりも少なくとも約７５ｍｍＨｇ（約１００ｍｂａｒ）大きい請求項１５に記載の吸着式冷却装置。
【請求項２８】
請求項１５に記載の吸着式冷却装置を組み込む温度制御輸送容器。
【請求項２９】
ａ）冷却面を有する蒸発器と、
ｂ）前記冷却装置の作動と同時に、前記蒸発器中に発生する蒸気を吸収することに適した吸収器と、
ｃ）前記蒸発器と前記吸収器との間に設けられ、前記蒸発器から前記吸収器への蒸気の案内に適した蒸気通路と、
ｄ）周囲圧が前記硬質筐体内に含まれる冷却液に圧力を及ぼさないためのほぼ硬質の筐体を備えた貯蔵器と、
ｅ）前記貯蔵器と前記蒸発器との間に設けた液体コンジットとからなり、前記吸着式冷却装置の作動と同時に、冷却液が前記貯蔵器から前記蒸発器へ流れる吸着式冷却装置。
【請求項３０】
前記硬質筐体は、前記冷却装置の外部面と熱伝達する状態にあるとともに、冷却面からは断熱されている請求項２９に記載の吸着式冷却装置。
【請求項３１】
前記蒸発器が約１５ｍｍＨｇ（約２０ｍｂａｒ）以下の圧力を有する請求項２９に記載の吸着式冷却装置。
【請求項３２】
前記蒸発器が約７．５ｍｍＨｇ（約１０ｍｂａｒ）以下の圧力を有する請求項２９に記載の吸着式冷却装置。
【請求項３３】
前記硬質筐体が、約５２５ｍｍＨｇ（約７００ｍｂａｒ）以下の圧力を有する請求項２９に記載の吸着式冷却装置。
【請求項３４】
前記貯蔵器が、前記硬質筐体内の冷却液の移動を制限する手段を備える請求項２９に記載の吸着式冷却装置。
【請求項３５】
前記貯蔵器は、前記硬質筐体内に設けられた、前記冷却液を収容するための可撓性ポーチを有する請求項２９に記載の吸着式冷却装置。
【請求項３６】
前記貯蔵器は、前記硬質筐体内の冷却液の移動を制限するために前記硬質筐体内に設けられたウィッキング材を有する請求項２９に記載の吸着式冷却装置。
【請求項３７】
ａ）冷却をもたらすための蒸発器と、ｂ）前記蒸発器からの蒸気の吸収に適した吸収器
と、
ｃ）第１の冷却液の収容に適した第１の貯蔵器と、
ｄ）第２の冷却液の収容に適した第２の貯蔵器と、
ｅ）第１の液流速で前記第１の貯蔵器から前記蒸発器へ液体を供給するための手段と、
ｆ）第２の液流速で前記第２の貯蔵器から前記蒸発器へ液体を供給するための手段とからなり、前記第１の液流速は前記第２の液流速よりも速い、吸着式冷却装置。
【請求項３８】
前記蒸発器への前記第２の液体の流動を制限するため、前記第２の液体と前記蒸発器との間に設けられた流動制限装置をさらに有する請求項３７に記載の吸着式冷却装置。
【請求項３９】
前記第１の貯蔵器は前記第２の貯蔵器より小さい収容容量を有する請求項３７に記載の吸着式冷却装置。
【請求項４０】
前記装置は、前記第１の貯蔵器と第２の貯蔵器とのうちの少なくとも１つから液体を放出するためのアクチュエータ手段をさらに有する請求項３７に記載の吸着式冷却装置。
【請求項４１】
前記装置は、前記第１の貯蔵器と第２の貯蔵器の両方から液体を放出するためのアクチュエータ手段をさらに有する請求項３７に記載の吸着式冷却装置。
【請求項４２】
前記第１の液体は、前記第２の液体と異なる組成を有する請求項３７に記載の吸着式冷却装置。